(57)【要約】【課題】画素内透過表示領域とともに備えた画素内反射表示領域で反射表示を行うときの表示品質の劣化を防止できる液晶表示装置を提供する。【解決手段】本液晶表示装置では、対向基板において、画素同士の境界線上に設けた遮光部ＢＭを、画素内透過表示領域１１と画素内反射表示領域１２の境界線上にも設ける。これにより、アレイ基板と対向基板の相対位置が理想的な相対位置に対してずれた場合でも、遮光部ＢＭがあるので、多くの場合、画素内透過表示領域１１の着色部が画素内反射表示領域１２に進入することがなく、よって、反射表示を行うときの表示品質の劣化を防止することができる。【選択図】図１
2007047462.tif 000002
【特許請求の範囲】
【請求項１】
複数の走査線と複数の信号線とが交差するアレイ基板と、該アレイ基板に対し液晶層を挟んで対向する対向基板とを備え、
前記走査線と信号線とが交差する各交差部に各画素が配置され、
前記画素内に、光を透過して透過表示を行う画素内透過表示領域と、外光を反射して反射表示を行う画素内反射表示領域とを備え、
前記対向基板は、前記画素内透過表示領域に着色部を備え、前記画素内透過表示領域と画素内反射表示領域の境界線上に遮光部を備えたことを特徴とする液晶表示装置。
【請求項２】
複数の走査線と複数の信号線とが交差するアレイ基板と、該アレイ基板に対し液晶層を挟んで対向する対向基板とを備え、
前記走査線と信号線とが交差する各交差部に各画素が配置され、
前記画素内に、光を透過して透過表示を行う画素内透過表示領域と、外光を反射して反射表示を行う画素内反射表示領域とを備え、
前記対向基板は、前記画素内透過表示領域に着色部を備え、該着色部の色よりも薄く着色された着色部を前記画素内反射表示領域に備え、前記画素内透過表示領域と画素内反射表示領域の境界線上に遮光部を備えたことを特徴とする液晶表示装置。
【発明の詳細な説明】
【技術分野】
【０００１】
本発明は、画素内透過表示領域とともに備えた画素内反射表示領域で反射表示を行う液晶表示装置に関する。
【背景技術】
【０００２】
近年において、薄型、軽量の表示装置は、パーソナルワープロやパーソナルコンピュータ、あるいはパーソナルテレビ、モニタ、あるいは主に個人用のＰＤＡといわれる携帯情報端末、携帯電話等のディスプレイデバイスとして広く利用され、特に、液晶表示装置は、薄型、軽量、低消費電力化が容易なことから開発が盛んである。
【０００３】
液晶表示装置の中でもアクティブマトリクス式のものは、複数の走査線と複数の信号線とが交差するアレイ基板と、該アレイ基板に対し液晶層を挟んで対向する対向基板とを備え、走査線と信号線とが交差する各交差部に各画素が配置される。
【０００４】
この画素において外光を反射して反射表示を行うようにした液晶表示装置は、消費電力が少ないことから、ＰＤＡ、携帯電話等の携帯用途で使用されるが、暗所での視認性を高める場合には、画素内に、バックライト装置からの光を透過して透過表示を行う画素内透過表示領域と、外光を反射して反射表示を行う画素内反射表示領域とを有する液晶表示装置が使用される。
【０００５】
この種の液晶表示装置では、赤の画素１Ｒ、緑の画素１Ｇ、青の画素１Ｂが規則的に、例えば図２に示すように配置され、液晶表示装置は、各画素内に画素内透過表示領域１１と、画素内反射表示領域１２とを備える。
【０００６】
対向基板は着色層（カラーフィルタ）を備えるとともに、例えば、この着色層内の、赤に着色された着色部を画素１Ｒ内の画素内透過表示領域１１に備え、これにより、バックライト装置からの光を赤に着色し、同様に、対向基板は、緑、青に着色された着色部を画素１Ｇ、１Ｂ内の画素内透過表示領域１１に備え、これにより、光を緑、青に着色することで、バックライト装置からの光を用いたときにはカラー表示を行い、暗所での視認性を高めている。
【０００７】
なお、図２の液晶表示装置では、画素同士の境界線上に遮光部（ブラックマトリクス）ＢＭを設けることで、画素間での光の漏れを防止している。
【０００８】
このような液晶表示装置に属する１つの液晶表示装置では、対向基板が、画素内反射表示領域１２に着色部を備えず、これにより、反射表示のときにはモノクロ表示を行う。
【０００９】
また、他の液晶表示装置では、対向基板が、画素内透過表示領域１１に設けられた着色部の色よりも薄く着色された着色部を画素内反射表示領域１２に備えることで、反射表示のときにもカラー表示を行い、その際の表示が暗くならないようにする。
【００１０】
このように、図２に示した液晶表示装置は、暗所での視認性を高められ、さらに、多様な構成を採用することができる。
【特許文献１】特開２００４−２０６１０号公報
【発明の開示】
【発明が解決しようとする課題】
【００１１】
しかしながら、図２の液晶表示装置の製造工程で、アレイ基板と対向基板の相対位置を決める際に、着色部の一部が画素内反射表示領域１２に進入していると、画素内反射表示領域１２にいわゆる色付きが発生し、反射表示のときの表示品質が劣化する。つまり、モノクロ表示を行うべきところに色がついたり、明るいカラー表示を行うべきところが暗くなったりという不都合が発生する。
【００１２】
本発明は、上記の課題に鑑みてなされたものであり、その目的とするところは、画素内透過表示領域とともに備えた画素内反射表示領域で反射表示を行うときの表示品質の劣化を防止できる液晶表示装置を提供することにある。
【課題を解決するための手段】
【００１３】
上記の課題を解決するために、請求項１記載の液晶表示装置は、複数の走査線と複数の信号線とが交差するアレイ基板と、該アレイ基板に対し液晶層を挟んで対向する対向基板とを備え、前記走査線と信号線とが交差する各交差部に各画素が配置され、前記画素内に、光を透過して透過表示を行う画素内透過表示領域と、外光を反射して反射表示を行う画素内反射表示領域とを備え、前記対向基板は、前記画素内透過表示領域に着色部を備え、前記画素内透過表示領域と画素内反射表示領域の境界線上に遮光部を備えたことを特徴とする。
【００１４】
請求項１記載の液晶表示装置によれば、画素内透過表示領域と画素内反射表示領域の境界線上に遮光部を備えたことで、アレイ基板と対向基板の相対位置が理想的な相対位置に対してずれた場合でも、遮光部があるので、多くの場合、画素内透過表示領域の着色部が画素内反射表示領域に進入することがなく、よって、画素内反射表示領域で反射表示を行うときの表示品質の劣化を防止することができる。例えば、画素内反射表示領域に対向する着色部を設けないでモノクロの反射表示を行うときに色がついてしまうという表示品質劣化を防止することができる。
【００１５】
また、請求項２記載の液晶表示装置は、複数の走査線と複数の信号線とが交差するアレイ基板と、該アレイ基板に対し液晶層を挟んで対向する対向基板とを備え、前記走査線と信号線とが交差する各交差部に各画素が配置され、前記画素内に、光を透過して透過表示を行う画素内透過表示領域と、外光を反射して反射表示を行う画素内反射表示領域とを備え、前記対向基板は、前記画素内透過表示領域に着色部を備え、該着色部の色よりも薄く着色された着色部を前記画素内反射表示領域に備え、前記画素内透過表示領域と画素内反射表示領域の境界線上に遮光部を備えたことを特徴とする。
【００１６】
請求項２記載の液晶表示装置によれば、画素内透過表示領域と画素内反射表示領域の境界線上に遮光部を備えたことで、アレイ基板と対向基板の相対位置が理想的な相対位置に対してずれた場合でも、遮光部があるので、多くの場合、画素内透過表示領域の着色部が画素内反射表示領域に進入することがなく、よって、画素内反射表示領域で明るいカラー表示を行うべきところが暗くなるという表示品質劣化を防止することができる。
【発明の効果】
【００１７】
本発明の液晶表示装置によれば、画素内透過表示領域と画素内反射表示領域の境界線上遮光部を備えたことで、アレイ基板と対向基板の相対位置が理想的な相対位置に対してずれた場合でも、遮光部があるので、多くの場合、画素内透過表示領域の着色部が画素内反射表示領域に進入することがなく、よって、画素内反射表示領域で反射表示を行うときの表示品質の劣化を防止することができる。
【発明を実施するための最良の形態】
【００１８】
以下、本発明の実施の形態を図面を参照して説明する。
【００１９】
図１は、本発明の実施の形態に係る液晶表示装置が備える一部の画素を平面視したときの模式図である。
【００２０】
同図では図示しないが、本液晶表示装置は、複数の走査線と複数の信号線とが交差するアレイ基板と、該アレイ基板に対し液晶層を挟んで対向する対向基板とを備えている。そして、走査線と信号線とが交差する各交差部には、同図に示した画素１Ｒといった各画素が配置される。
【００２１】
本液晶表示装置では、赤の画素１Ｒ、緑の画素１Ｇ、青の画素１Ｂが規則的に、例えば図１に示すように配置され、本液晶表示装置は、各画素内に画素内透過表示領域１１と、画素内反射表示領域１２とを備える。
【００２２】
アレイ基板は、信号線と走査線とに接続された薄膜トランジスタなどのスイッチ素子を画素内に備える。また、走査線駆動により導通した当該スイッチ素子により信号線の信号が書き込まれる透明電極および反射電極を画素内透過表示領域１１および画素内反射領域１２にそれぞれ備える。そして、信号の振幅などにより液晶層の分子配列を変化させ、これにより、図示しないバックライト装置からの光または外光とその反射光の液晶層での透過量を変化させることで表示を行う。
【００２３】
対向基板は、着色層（カラーフィルタ）を備えるとともに、この着色層内の、赤に着色された着色部を画素１Ｒ内の画素内透過表示領域１１に備え、これにより、図示しないバックライト装置からの光を赤に着色し、同様に、対向基板は、緑、青に着色された着色部を画素１Ｇ、１Ｂ内の画素内透過表示領域１１に備え、これにより、光を緑、青に着色することで、バックライト装置からの光を用いたときにはカラー表示を行い、暗所での視認性を高めている。
【００２４】
本液晶表示装置に属する１つの液晶表示装置では、対向基板が、画素内反射表示領域１２に着色部を備えず、これにより、反射表示のときにはモノクロ表示を行う。
【００２５】
本液晶表示装置に属する他の液晶表示装置では、対向基板が、画素内透過表示領域１１に設けられた着色層の色よりも薄く着色された着色部を画素内反射表示領域１２に備えることで、反射表示のときにもカラー表示を行い、その際の表示が暗くならないようにする。
【００２６】
また、図１に示すように、本液晶表示装置では、対向基板において、画素同士の境界線上に遮光部ＢＭを設けることで、画素間での光の漏れを防止するとともに、この遮光部ＢＭは、画素内透過表示領域１１と画素内反射表示領域１２の境界線上にも配置されている。
【００２７】
これにより、アレイ基板と対向基板の相対位置が理想的な相対位置に対してずれた場合でも、遮光部ＢＭがあるので、多くの場合、着色部が画素内反射表示領域１２に進入することがなく、よって、画素内反射表示領域１２で反射表示を行うときの表示品質の劣化を防止することができる。例えば、画素内反射表示領域１２に対向する着色部を設けないでモノクロの反射表示を行うときに色がついてしまうという表示品質劣化を防止することができる。また、画素内反射表示領域１２で明るいカラー表示を行うべきところが暗くなるという表示品質劣化を防止することができる。
【図面の簡単な説明】
【００２８】
【図１】本発明の実施の形態に係る液晶表示装置が備える一部の画素を平面視したときの模式図である。
【図２】従来の液晶表示装置が備える一部の画素を平面視したときの模式図である。
【符号の説明】
【００２９】
１Ｒ  赤の画素
１Ｇ  緑の画素
１Ｂ  青の画素
１１  画素内透過表示領域
１２  画素内透過反射領域
ＢＭ  遮光部
【図１】
2007047462.tif 000003
【図２】
2007047462.tif 000004